(57)【要約】      （修正有）【課題】地上設置型スキャナを用いた測量において、既知点または後視点の観測を行わずに、新点を決定するシステムを提供する。【解決手段】測量システム１００は、反射ターゲット１１およびターゲットユニット１０の角度を示すエンコーダパターンを備えるターゲットユニット１０と、３次元点群データを取得するとともに、ターゲットスキャンにより反射ターゲット１１の測定座標を取得し、かつエンコーダパターンを光学的に読み取って、エンコーダパターン読取角を取得するスキャナ装置３０と、ターゲットユニット１０およびスキャナ装置３０と択一的に鉛直方向の中心軸を共有するように着脱可能に取り付けられるように構成され、ターゲットユニット１０またはスキャナ装置３０それぞれとのオフセット角度が既知である整準台７０とを備え、各測定値からスキャナ装置３０の方向角を算出する。【選択図】図１
2020056614.tif 000002
【特許請求の範囲】
【請求項１】
反射ターゲットおよびターゲットユニットの中心軸周りの周方向の角度を示すエンコーダパターンを備えるターゲットユニットと、
測距光を送光し、反射光を受光して測距を行う測距部、前記測距光を測定範囲に回転照射する走査部、および前記測距光の照射方向を検出する角度検出器を備え、点群データを取得し、かつターゲットスキャンを行って前記反射ターゲットの測定座標を取得するスキャナ装置であって
前記エンコーダパターンを光学的に読み取るエンコーダパターン読取部、およびエンコーダパターン読取結果に基づいて、エンコーダパターン読取角を演算する演算制御部を備えるスキャナ装置と、
前記ターゲットユニットおよび前記スキャナ装置と、択一的に、鉛直方向の中心軸を共有するように着脱可能に取り付けられるように構成され、前記ターゲットユニットまたは前記スキャナ装置を取り付けた際の、それぞれとの前記中心軸周りのオフセット角度が既知である整準台とを備え、
前記演算制御部は、前記整準台に取り付けて設置した前記ターゲットユニットの前記エンコーダパターン読取角および前記ターゲットユニットの前記オフセット角度に基づいて前記整準台の方向角を算出し、前記整準台に取り付けて設置した前記ターゲットユニットの反射ターゲットの測定座標および前記方向角に基づいて前記ターゲットユニットの設置点の座標を算出し、
前記演算制御部は、前記スキャナ装置の前記オフセット角度、および前記スキャナ装置が取り付けられた整準台の方向角に基づいて、前記スキャナ装置の方向角を算出できるようにしたことを特徴とする測量システム。
【請求項２】
測距光を送光し、反射光を受光して測距を行う測距部と、
前記測距光を測定範囲に回転照射する走査部と、
前記測距光の照射方向を検出する角度検出器と、
反射ターゲットを備え、整準台に鉛直方向の中心軸を共有するように着脱可能に取り付けられたターゲットユニットに設けられた、前記ターゲットユニットの中心軸回りの周方向の角度を示すエンコーダパターンを光学的に読み取るエンコーダパターン読取部と、
演算制御部とを備え、
整準台に、鉛直方向の中心軸を共有するように着脱可能に取り付けられるスキャナ装置であって、
前記整準台は、前記スキャナ装置または前記ターゲットユニットを取り付けた際の前記中心軸回りのオフセット角度がそれぞれ既知とされており
前記演算制御部は、
点群データを取得し、かつ前記反射ターゲットをターゲットスキャンして前記反射ターゲットの測定座標を演算し、
前記整準台に取り付けた前記ターゲットユニットの前記エンコーダパターンの読取結果より、前記エンコーダパターン読取角を演算し、
前記エンコーダパターン読取角および前記ターゲットユニットのオフセット角度に基づいて、前記整準台の方向角を演算し、前記整準台に取り付けて設置した前記ターゲットユニットの測定座標および前記方向角に基づいて前記ターゲットユニットの設置点の座標を算出し、
前記スキャナ装置の前記オフセット角度、および前記スキャナ装置が取り付けられた前記整準台の方向角に基づいて、前記スキャナ装置の方向角を算出できるようにしたことを特徴とするスキャナ装置。
【請求項３】
反射ターゲットと、
ターゲットユニットの中心軸回りの周方向の角度を示すエンコーダパターンとを備え、
整準台に対して、鉛直方向の中心軸を共有するように着脱可能に取り付けられるように構成され、
前記整準台への取付状態において、前記中心軸周りに周方向に位置決めされて、前記中心軸回りのオフセット角度が既知となるように構成されたことを特徴とするターゲットユニット。
【請求項４】
（ａ）座標及び方向角が既知とされた点Ｐiに設置した整準台に取り付けられたスキャナ装置が、前記スキャナ装置の前記整準台に対する鉛直中心軸周りのオフセット角度θＳに基づいて、前記スキャナ装置の方向角を算出するステップと、
（ｂ）前記点Ｐiにおいて、次に観測する点Ｐi＋１に設置された整準台に取り付けたターゲットユニットの反射ターゲットをターゲットスキャンし、前記反射ターゲットの測定座標を演算するステップと、
（ｃ）前記スキャナ装置が、前記点Ｐｉ＋１に設置された前記ターゲットユニットのエンコーダパターンを読取り、読取り結果に基づいてエンコーダパターン読取角θＥを演算するステップと、
（ｄ）前記エンコーダパターン読取角θＥ、および前記ターゲットユニットの前記整準台に対する鉛直中心軸周りのオフセット角度θTに基づいて、前記点Ｐｉ＋１における前記整準台の方向角を演算するステップと、
（ｅ）前記点Ｐｉ＋１における前記整準台の方向角および前記測定座標に基づいて、前記点Ｐｉ＋１の座標を演算するステップと、
（ｆ）次に観測する点がある場合に、前記スキャナ装置を、前記ステップ（ａ）〜（ｅ）により座標及び方向角が既知となった前記点Ｐi＋１に移動するステップと、
（ｇ）ステップ（ｆ）の後、i＝i+１としてステップ（ａ）〜（ｅ）を繰り返すステップとを備え、
前記ターゲットユニットは、前記反射ターゲットと前記エンコーダパターンを備え、前記エンコーダパターンは、ターゲットユニットの中心軸回りの周方向の角度を示し、
前記整準台は、前記ターゲットユニットおよび前記スキャナ装置を、択一的に、鉛直方向の中心軸を共有するように着脱可能に構成され、
前記ターゲットユニットの前記オフセット角度および前記スキャナ装置の前記オフセット角度はそれぞれ既知であることを特徴とする測量方法。
【請求項５】
請求項４に記載の測量方法を用いて座標及び方向角が既知となった点において、
（ｈ）前記スキャナ装置が、測定範囲の点群データを取得するステップを備えることを特徴とする測量方法。
【発明の詳細な説明】
【技術分野】
【０００１】
本発明は、測量方法に関し、より詳細には、地上設置型のレーザスキャナを用いた測量システム、スキャナ装置、ターゲットユニット、および測量方法に関する。
【背景技術】
【０００２】
地上設置型のスキャナ装置は、三脚上に設置され、走査部を介してレーザのパルス光を回転照射し、測定対象物を走査して、パルス光ごとに測距、測角を行うことで、測定対象物の三次元点群データを含む三次元観測データを取得して、地形・地物の三次元形状を把握するために用いられている。
【０００３】
地上設置型スキャナ装置で得られる点群データは、スキャナを中心とする座標系である。したがって、複数の観測点で得られた点群データを統合するためには、取得した点群データを共通の絶対座標系に変換する必要がある。このため、スキャナ装置の観測点における絶対座標と、方向角とを測定する必要がある（例えば特許文献１、段落０００８等）。
【０００４】
このためには後方交会による方法や、後視点・器械点による方法があるが、それらの一般的な手順は、以下の通りである。
【０００５】
後方交会による場合：
１．２点以上の既知点に、反射ターゲットを設置する。
２．点群データを観測する場所に、地上設置型スキャナを設置する。
３．各反射ターゲットに対してターゲットスキャンを行い、ターゲットまでの距離および方向角を観測する。
４．点群データの観測（フルドームスキャン）を行う。
５．新たに点群データを観測する場所（新点）に地上設置型スキャナを設置する。
６．必要に応じて新たな既知点に反射ターゲットを設置する。
７．上記３〜６を繰り返す。
８．後方交会法によって各器械点座標・器械方向角を求め、各点群観測データを既知点に用いられている座標系座標値に変換する。
【０００６】
後視点・器械点法による場合：
１．後視点（既知点）に反射ターゲットを設置し、器械点（既知点でかつ点群データを観測する場所）に地上設置型スキャナを設置する。
２．次に点群データを観測する場所（新点）に反射ターゲットを設置する。
３．後視点の反射ターゲットと新点の反射ターゲットに対して、それぞれターゲットスキャンを行い、ターゲットまでの距離および方向角を観測する。
４．点群データの観測（フルドームスキャン）を行う。
５．２の新点に地上設置型スキャナを設置する。
６．直前の器械点に後視点として反射ターゲットを設置する。
７．上記２〜６を繰り返す。
８．最初の後視点から器械点座標（既知）、方位角を求め、順次器械点座標・器械方位角を求め、各器械点における点群観測データを既知点に用いられている座標系座標値に変換する。
【先行技術文献】
【特許文献】
【０００７】
【特許文献１】特開２０１８−００４４０１号公報
【発明の概要】
【発明が解決しようとする課題】
【０００８】
しかし、これらの方法では、次の観測点（新点）を設置する場合、新点に反射ターゲットを設置するとともに、後方交会法では２点以上の既知点に、後視点・器械点による方法では後視点である既知点に、反射ターゲットを設置し、ターゲットスキャンを行う必要がある。
【０００９】
ターゲットスキャンの所要時間は、１つの反射ターゲットに対して約２分であり、観測作業全体の時間を増大させる要因となっていた。
【００１０】
さらに、従来の方法では、屋内等の視通を遮る壁などが多く存在する環境では、特に以下のような問題がある。後方交会法では、新たな器械点から見える範囲に既知点を予め２点以上準備する際に、共有できる既知点が少なくなり、既知点設置作業が多くなり、作業が煩雑になる。
【００１１】
また、後視点・器械点法では、必ず後視点が見える範囲に次の器械点（新点）を設置しなければならないため、地上設置型スキャナを観測に最適な箇所に設置できない場合が生じ、必要なデータを取得するために観測回数を増やさなければならず、作業が煩雑になる。
【００１２】
本発明は、かかる事情を鑑みてなされたものであり、地上設置型スキャナを用いた測量において、既知点または後視点の観測を行わずに、新点を決定することができる測量システムを提供することを目的とする。
【課題を解決するための手段】
【００１３】
上記課題を解決するために、本発明の１つの態様にかかる測量システムは、反射ターゲットおよびターゲットユニットの中心軸周りの周方向の角度を示すエンコーダパターンを備えるターゲットユニットと、測距光を送光し、反射光を受光して測距を行う測距部、前記測距光を測定範囲に回転照射する走査部、および前記測距光の照射方向を検出する角度検出器を備え、点群データを取得し、かつターゲットスキャンを行って前記反射ターゲットの測定座標を取得するスキャナ装置であって、前記エンコーダパターンを光学的に読み取るエンコーダパターン読取部、およびエンコーダパターン読取結果に基づいて、エンコーダパターン読取角を演算する演算制御部を備えるスキャナ装置と、前記ターゲットユニットおよび前記スキャナ装置と、択一的に、鉛直方向の中心軸を共有するように着脱可能に取り付けられるように構成され、前記ターゲットユニットまたは前記スキャナ装置を取り付けた際の、それぞれとの前記中心軸周りのオフセット角度が既知である整準台とを備え、前記演算制御部は、前記整準台に取り付けて設置した前記ターゲットユニットの前記エンコーダパターン読取角および前記ターゲットユニットの前記オフセット角度に基づいて前記整準台の方向角を算出し、前記整準台に取り付けて設置した前記ターゲットユニットの反射ターゲットの測定座標および前記方向角に基づいて前記ターゲットユニットの設置点の座標を算出し、前記演算制御部は、前記スキャナ装置の前記オフセット角度、および前記スキャナ装置が取り付けられた整準台の方向角に基づいて、前記スキャナ装置の方向角を算出できるようにしたことを特徴とする。
【００１４】
また、本発明の別の態様に係るスキャナ装置は測距光を送光し、反射光を受光して測距を行う測距部と、前記測距光を測定範囲に回転照射する走査部と、前記測距光の照射方向を検出する角度検出器と、反射ターゲットを備え、整準台に鉛直方向の中心軸を共有するように着脱可能に取り付けられたターゲットユニットに設けられた、前記ターゲットユニットの中心軸回りの周方向の角度を示すエンコーダパターンを光学的に読み取るエンコーダパターン読取部と、演算制御部とを備え、整準台に、鉛直方向の中心軸を共有するように着脱可能に取り付けられるスキャナ装置であって、前記整準台は、前記スキャナ装置または前記ターゲットユニットを取り付けた際の前記中心軸回りのオフセット角度がそれぞれ既知とされており、前記演算制御部は、点群データを取得し、かつ前記反射ターゲットをターゲットスキャンして前記反射ターゲットの測定座標を演算し、前記整準台に取り付けた前記ターゲットユニットの前記エンコーダパターンの読取結果より、前記エンコーダパターン読取角を演算し、前記エンコーダパターン読取角および前記ターゲットユニットのオフセット角度に基づいて、前記整準台の方向角を演算し、前記整準台に取り付けて設置した前記ターゲットユニットの測定座標および前記方向角に基づいて前記ターゲットユニットの設置点の座標を算出し、前記スキャナ装置の前記オフセット角度、および前記スキャナ装置が取り付けられた前記整準台の方向角に基づいて、前記スキャナ装置の方向角を算出できるようにしたことを特徴とする。
【００１５】
また、本発明の別の態様にかかるターゲットユニットは、反射ターゲットと、ターゲットユニットの中心軸回りの周方向の角度を示すエンコーダパターンとを備え、整準台に対して、鉛直方向の中心軸を共有するように着脱可能に取り付けられるように構成され、
前記整準台への取付状態において、前記中心軸周りに周方向に位置決めされて、前記中心軸回りのオフセット角度が既知となるように構成されたことを特徴とする。
【００１６】
（ａ）座標及び方向角が既知とされた点Ｐiに設置した整準台に取り付けられたスキャナ装置が、前記スキャナ装置の前記整準台に対する鉛直中心軸周りのオフセット角度θＳに基づいて、前記スキャナ装置の方向角を算出するステップと、（ｂ）前記点Ｐiにおいて、次に観測する点Ｐi＋１に設置された整準台に取り付けたターゲットユニットの反射ターゲットをターゲットスキャンし、前記反射ターゲットの測定座標を演算するステップと、（ｃ）前記スキャナ装置が、前記点Ｐｉ＋１に設置された前記ターゲットユニットのエンコーダパターンを読取り、読取り結果に基づいてエンコーダパターン読取角θＥを演算するステップと、（ｄ）前記エンコーダパターン読取角θＥ、および前記ターゲットユニットの前記整準台に対する鉛直中心軸周りのオフセット角度θTに基づいて、前記点Ｐｉ＋１における前記整準台の方向角を演算するステップと、（ｅ）前記点Ｐｉ＋１における前記整準台の方向角および前記測定座標に基づいて、前記点Ｐｉ＋１の座標を演算するステップと、（ｆ）次に観測する点がある場合に、前記スキャナ装置を、前記ステップ（ａ）〜（ｅ）により座標及び方向角が既知となった前記点Ｐi＋１に移動するステップと、（ｇ）ステップ（ｆ）の後、i＝i+１としてステップ（ａ）〜（ｅ）を繰り返すステップとを備え、前記ターゲットユニットは、前記反射ターゲットと前記エンコーダパターンを備え、前記エンコーダパターンは、ターゲットユニットの中心軸回りの周方向の角度を示し、前記整準台は、前記ターゲットユニットおよび前記スキャナ装置を、択一的に、鉛直方向の中心軸を共有するように着脱可能に構成され、前記ターゲットユニットの前記オフセット角度および前記スキャナ装置の前記オフセット角度はそれぞれ既知であることを特徴とする。
【００１７】
上記態様にかかる測量方法を用いて座標及び方向角が既知となった点において、（ｇ）前記スキャナ装置が、測定範囲の点群データを取得するステップを備えることも好ましい。
【００１８】
なお、本明細書において、用語「エンコーダパターン」は、基準点を０°とする角度情報を有する模様である。該模様は、自然光により検出可能な模様だけでなく、偏光により検出可能な模様を含んでもよい。
【発明の効果】
【００１９】
上記構成によれば、地上設置型スキャナを用いた測量において、既知点または後視点の観測を行わずに、新点を決定することができる。
【図面の簡単な説明】
【００２０】
【図１】本発明の実施の形態にかかる測量システムの構成概略図である。
【図２】同形態にかかるターゲットユニットを整準台に組み付けた状態を示す斜視図である。
【図３】（ａ）は、同形態のターゲットユニットに係るエンコーダパターン部の拡大斜視図であり、（ｂ）は、該エンコーダパターン部のエンコーダパターンを基準点で切り開いて平面に展開した図（一部省略）である。
【図４】同形態に係るスキャナ装置の構成ブロック図である。
【図５】同形態に係るスキャナ装置の測距部およびエンコーダパターン読取部における、送受光の仕組みを説明する模式図である
【図６】（ａ）は、同実施の形態に係る整準台の斜視図、（ｂ）は、同整準台の平面図である。
【図７】同形態のターゲットユニットの整準台との取付構造を説明する図である。
【図８】（ａ）〜（ｃ）は、同実施の形態に係る、ターゲットユニット、整準台およびスキャナ装置の水平角方向の関係を示す図である。
【図９】同形態の測量システムを用いた点群データの観測の１つの例のフローチャートである。
【図１０】（ａ）〜（ｄ）は、上記例の点群データの観測におけるスキャナ装置およびターゲットユニット配置を説明する図である。
【図１１】同点群データの観測における、エンコーダパターンの読取りのフローチャートである。
【図１２】（ａ）は、同形態のスキャナ装置によるエンコーダパターンのスキャン位置を説明する図であり、（ｂ）は、反射したスキャン光を受光光量分布として出力した結果を示すグラフである。
【発明を実施するための形態】
【００２１】
本発明の好適な実施の形態について、図面を参照しながら説明する。以下の実施の形態の説明において、同一の構成には同一の符号を付し、重複する説明を省略する。なお、各図において、説明の便宜上構成部品は適宜拡大して模式的に示しており、実際の比率を反映したものではない。
【００２２】
実施の形態
１．  測量システムの全体構成
図１は、本発明の実施の形態にかかる測量方法を実施するための測量システム１００の概略構成を示す図である。測量システム１００は、ターゲットユニット１０、スキャナ装置３０および整準台７０を備える。
【００２３】
２．  ターゲットユニットの構成
図２に示す通り、ターゲットユニット１０は、反射ターゲット１１、支持部材１２、エンコーダパターン部１３、および基盤部１４を備え、三脚２に取り付けられた整準台７０に着脱可能に取り付けられており、鉛直に保持されている。
【００２４】
反射ターゲット１１は、例えば、複数の三角錐状のプリズムを放射状に組み合わせて構成された、いわゆる全方位プリズムであり、その全周（３６０°）から入射する光を、その入射方向と反対の方向に反射する。すなわち、反射ターゲット１１は、スキャナ装置３０からの測距光を、スキャナ装置３０に向けて反射する。反射ターゲット１１は、全方位プリズムに限定されず、測量用に用いられる通常のプリズムを使用してもよい。
【００２５】
支持部材１２は、基盤部１４から上方へ一定の長さをもって延びる、例えば、金属製または樹脂製の円柱状の部材である。その中心軸Ａが、反射ターゲット１１の中心Ｏおよびエンコーダパターン部１３の（ベース１３Ａ）中心ＯＥ（図３（ａ））を通るように、エンコーダパターン部１３および反射ターゲット１１を固定支持している。また、共通するベース１３Ａの中心軸と支持部材１２の中心軸Ａとは、反射ターゲット１１の中心Ｏを通るように構成されている。すなわち支持部材１２の中心軸Ａが、ターゲットユニット１０の中心軸である。
【００２６】
エンコーダパターン部１３は、短尺円柱形状のベース１３Ａの側周面に、エンコーダパターン１３Ｂを設けることにより構成されている。ベース１３Ａは、例えば、支持部材の外周に形成されたねじ部（図示せず）と、ベース１３Ａの中心に形成されたねじ穴（図示せず）を螺合させる等の手段により、支持部材１２と反射ターゲット１１との間に固定されている。
【００２７】
エンコーダパターン１３Ｂは、角度情報部１３１と、角度情報部１３１の上方に隣接する幅情報部１３２とを備える。
【００２８】
図３（ａ），（ｂ）に示すように、角度情報部１３１は、例えば、白地に、幅ｗ１を有する狭幅の黒の縦線１３１ａと、幅ｗ２を有する広幅の黒の縦線１３１ｂとを、縦線１３１ａを「０」、縦線１３１ｂを「１」として、Ｍ系列の循環乱数コードを生成するように、等ピッチｐで配置したバーコード状のパターンである。エンコーダパターン１３Ｂは、エンコーダパターン部１３の中心から基準点ＲＰへの方向（以下、「エンコーダパターンの基準方向」という。）ＲＤを０°として、スキャナ装置により読み取ったパターンから算出される角度（以下、「エンコーダパターンの読取角」という。）θＥが、エンコーダパターン１３Ｂの基準方向ＲＤから、支持部材１２の中心軸Ａ回りの時計回りの周方向の絶対角度と対応するように構成されている。
【００２９】
角度情報部１３１は、ビット数を変更することにより、所望の分解能を実現可能に構成されている。
【００３０】
なお、ビットパターンは、Ｍ系列コードに限らず、グレイコード、純２進バイナリコードなどのビットパターンを用いることができ、これらは、公知の手法により生成することができる。しかし、Ｍ系列コードを用いると、トラック数を増やさずにビット数を増大することができ、簡単な構成で、高い分解能を実現することができるため有利である。
【００３１】
幅情報部１３２は、所定の高さｈ１を有する黒色帯１３２ａと、同高の白色帯１３２ｂとを備える。黒色帯１３２ａと白色帯１３２ｂとはそれぞれ、エンコーダパターン部１３の周方向の全周に亘り延びている。
【００３２】
エンコーダパターン１３Ｂは、模様を形成するために用いられる種々の公知の手法によりエンコーダパターン部１３に設けることができる。例えば、エンコーダパターン１３Ｂを、インクジェット印刷などの一般的な印刷等の手法により白い紙に印刷し、これをベース１３Ａの側周面に貼付することにより設けてもよい。このような手法によれば、極めて安価かつ簡便な方法でエンコーダパターン部１３を形成することができる。また、エンコーダパターン１３Ｂを、樹脂製のベース１３Ａに直接印刷することにより設けてもよい。また、エンコーダパターン１３Ｂを、金属製のベース１３Ａに、塗装または蒸着等の手法により設けてもよい。
【００３３】
なお、図示の例では、幅情報部１３２は角度情報部１３１の上方に隣接して配置されている。しかし、角度情報部１３１と幅情報部１３２の位置関係は、これに限定されず、幅情報部１３２が角度情報部１３１の下方に配置されていてもよい。
【００３４】
また、エンコーダパターン部１３は、反射ターゲット１１の下方に隣接して配置されている。しかし、エンコーダパターン部１３と反射ターゲット１１との位置関係は、これに限定されず、エンコーダパターン部１３が反射ターゲット１１の中心Ｏを通る支持部材１２の中心軸Ａと同軸となるように配置されていれば、他の配置であってもよい。
【００３５】
すなわち、エンコーダパターン部１３が反射ターゲット１１の上方に配置されていてもよい。また、エンコーダパターン部１３と反射ターゲット１１とが離間して配置されていてもよい。
【００３６】
基盤部１４は、支持部材１２と同軸に設けられた、支持部材１２よりも太径の、例えば金属製または樹脂製の円柱状の部材であり、整準台７０の基盤取付穴７４と整合する寸法を有する。基盤部１４の底面には、後述するように整準台７０の係合孔７６ａ，７６ｂ，７６ｃとそれぞれ係合する係合突起１５ａ，１５ｂ、１５ｃ（図７）が、支持部材１２の中心軸Ａに対して周方向等間隔に３か所設けられている。
【００３７】
また、基盤部１４の側周面には、位置決め突起１６が径方向に突出するように設けられている。
【００３８】
３．  スキャナ装置の構成
図４は、スキャナ装置３０の構成ブロック図である。スキャナ装置３０は、いわゆるレーザスキャナであり、測距部３１、エンコーダパターン読取部３２、回動ミラー３３、鉛直回転駆動部３４、鉛直角検出器３５、水平回転駆動部３６、水平角検出器３７、記憶部３８、表示部３９、操作部４１、演算制御部４２および外部記憶装置４３を備える。
【００３９】
また、スキャナ装置３０は、外観上、図１に示すように、ターゲットユニット１０と同様に、三脚２に取り付けられる整準台７０を介して設置される。スキャナ装置３０は、整準台７０に着脱可能に取り付けられる基盤部６ａと、基盤部６ａに軸Ｈ−Ｈ回りに３６０°水平回転可能に設けられた托架部６ｂと、托架部６ｂの凹部８に、軸Ｖ−Ｖ回りに鉛直回転可能に設けられた望遠鏡部６ｃとを備える。
【００４０】
基盤部６ａには、水平回転駆動部３６および水平に回転させる軸Ｈ−Ｈ回りの回転角を検出する水平角検出器３７が収納されている。水平回転駆動部３６は、例えばモータであり、水平角検出器３７は例えばロータリエンコーダである。水平回転駆動部３６は、水平に回転させる軸Ｈ−Ｈを中心に托架部６ｂを回転し、水平角検出器３７は、托架部６ｂの水平に回転させる軸Ｈ−Ｈの基盤部６ａに対する回転角を検出し、検出信号を演算制御部４２に出力する。
【００４１】
また、基盤部６ａの底部は、ターゲットユニット１０の基盤部１４の底部と同様の構成を有する。すなわち、整準台７０の基盤取付穴７４と整合する円柱形状に成形され、その底面に、整準台７０の係合孔７６ａ，７６ｂ，７６ｃと整合する形状の係合突起６１ａ，６１ｂ，６１ｃ（図８（ｃ）参照）が設けられている。また、その側周面には、位置決め突起６２が設けられている。
【００４２】
托架部６ｂには、鉛直回転駆動部３４、鉛直角検出器３５、記憶部３８および演算制御部４２が設けられている。また、表示部３９および操作部４１は托架部６ｂの外部に設けられている。
【００４３】
鉛直回転駆動部３４は、モータであり、鉛直に回転させる軸Ｖ−Ｖ上に設けられている。鉛直回転駆動部３４の回転により、望遠鏡部６ｃが鉛直方向に全周回転されるように構成されている。鉛直角検出器３５は、例えばロータリエンコーダである。鉛直角検出器３５は、鉛直に回転させる軸Ｖ−Ｖ上に設けられ、該軸Ｖ−Ｖの回りの回転角を検出し、検出信号を演算制御部４２に出力する。
【００４４】
望遠鏡部６ｃには、測距部３１およびエンコーダパターン読取部３２が収容されている。望遠鏡部６ｃの内部には、回動ミラー３３を備える鏡筒（図示せず）が設けられており、この鏡筒を水平に回転させる軸は、托架部６ｂの水平に回転させる軸Ｈ−Ｈと同軸である。鏡筒は、望遠鏡部６ｃに適宜の手段で取り付けられている。
【００４５】
図５は、本実施の形態の測距部３１およびエンコーダパターン読取部３２における、測距光３およびエンコーダパターン読取光４の送受光の仕組みを説明する図である。測距部３１は、測距光送光部４４、測距光受光部４５、ビームスプリッタ（図示せず）、測距光用ミラー４６、測距光用集光レンズ４７および回動ミラー３３を有する測距光用送受光光学系４８を備える。測距光送光部４４は、発光素子（図示せず）を備える。
【００４６】
発光素子は、例えば半導体レーザ等であり、測距光としてパルスレーザ光線を出射する。出射された測距光３は、測距光用ミラー４６で反射され、さらに回動ミラー３３によって反射されて測定対象物に照射される。また、回動ミラー３３は、両面ミラーであり、鉛直回転駆動部３４により駆動され鉛直回転軸Ｖ−Ｖ周りに回転する。したがって、回動ミラー３３と鉛直回転駆動部３４により測距光を走査する走査部６３を構成している。また、回動ミラー３３は、例えば矩形または円形の板状の孔あき両面ミラーであるが、これに限定されない。
【００４７】
ついで、測定対象物により再帰反射された測距光３ａは、回動ミラー３３、測距光用ミラー４６及び測距光用集光レンズ４７を経て、測距光受光部４５に入射する。測距光受光部４５は、例えばフォトダイオードなどの受光素子である。また、測距光受光部４５には、先述のビームスプリッタにより分割された測距光の一部が内部参照光（図示せず）として入射するようになっており、反射測距光３ａおよび内部参照光に基づいて、演算制御部４２により、照射点までの距離を求める。
【００４８】
回動ミラー３３の鉛直方向の回転と、前記托架部６ｂの水平方向の回転との協働により、測距光が２次元に走査される。測距部３１によりパルス光毎の測距データが取得され、鉛直角検出器３５および水平角検出器３７によりパルス光ごとの測角データが取得される。鉛直方向に天頂を含む２７０°、水平方向に３６０°回転することでフルドームスキャンが実行され、測定範囲の３次元点群データが取得される。
【００４９】
一方、エンコーダパターン読取部３２は、読取光送光部５１、読取光受光部５２、読取光用ミラー５３および読取光用集光レンズ５４を有する読取光用送受光光学系５５を備える。読取光送光部５１は、発光素子（図示せず）を備え、測距光３とは異なる波長の光線、例えば可視光等をエンコーダパターン読取光４として出射する。出射されたエンコーダパターン読取光４は、読取光用ミラー５３によって反射される。さらに回動ミラー３３によって反射されてエンコーダパターン１３Ｂに照射される。読取光４を反射するのは、回動ミラー３３の測距光３を反射する面の裏面である。
【００５０】
ついで、エンコーダパターン１３Ｂで反射された読取光４ａは、回動ミラー３３、読取光用ミラー５３および読取光用集光レンズ５４を経て、読取光受光部５２に入射する。読取光受光部５２は、例えば、アバランシェフォトダイオードなどの受光素子である。読取光受光部５２に入力された受光信号は、受光光量分布として演算制御部４２に出力される。
【００５１】
記憶部３８は、例えばハードディスクドライブであり、スキャナ装置３０を作動させるための各種プログラムを格納している。例えば、測距および測角を実行するためのシーケンスプログラム、走査部を駆動して測距光を回転照射し、各点について、測距、測角の演算を行って点群データを取得する点群データ測定プログラム、ターゲット周辺をスキャニングし、反射ターゲット１１の座標を演算するターゲットスキャンプログラム、エンコーダパターンを読取り、エンコーダパターン読取角θＥを演算するエンコーダパターン読取角演算プログラム、エンコーダパターン読取角θＥに基づいて方向角を演算する方向角演算プログラム、反射ターゲット１１の測定座標およびスキャナ装置の方向角に基づいて、スキャナ装置３０の座標を演算する座標演算プログラム等のプログラムを格納している。また、記憶部３８は、エンコーダパターンが示すビットパターンと角度との相関を、例えばテーブルとして格納している。
【００５２】
表示部３９は、例えば液晶ディスプレイ等であり、演算制御部４２により得られた作業状況データや測定結果等を表示する。
【００５３】
操作部４１は、タッチディスプレイやキーボード等であり、スキャナ装置に対する動作指令の入力を行う。
【００５４】
演算制御部４２は、例えばＣＰＵ、ＲＯＭ、ＲＡＭ等を集積回路に実装したマイクロコントローラである。演算制御部４２は、測距部３１、エンコーダパターン読取部３２、鉛直回転駆動部３４、鉛直角検出器３５、水平回転駆動部３６、水平角検出器３７、記憶部３８、表示部３９、および操作部４１と電気的に接続されている。
【００５５】
演算制御部４２は、鉛直角検出器３５、水平角検出器３７からの角度検出信号が入力され、また、測距光受光部４５、読取光受光部５２からの受光信号が入力される。また。作業者の操作による操作部４１からの信号が入力される、
【００５６】
また、演算制御部４２は、測距光送光部４４、読取光送光部５１、鉛直回転駆動部３４、水平回転駆動部３６を駆動すると共に、作業状況、測定結果等を表示する表示部３９を制御する。
【００５７】
また、演算制御部４２は、機能部として、反射ターゲットの周辺の範囲に対して、集中的に測距光を照射して測距・測角するターゲットスキャンを実行し、該測距測角データから、反射ターゲットの測定座標を算出するターゲットスキャン実行部５６と、測定対象物（範囲）に測距光を回転照射して各点について、測距・測角した結果を演算し、測定範囲の点群データを取得する点群データ取得部５７と、エンコーダパターン読取結果から、エンコーダパターン読取角θＥを演算するエンコーダパターン読取角演算部５８と、ターゲットユニット１０のオフセット角θＴおよびスキャナ装置３０のオフセット角θＳおよびエンコーダパターン読取角θＥに基づいて、方向角を演算する方向角演算部５９と、反射ターゲット１１の測定座標とスキャナ装置３０の方向角、新点の地図座標系の座標を演算する座標演算部６０とを備える。
【００５８】
外部記憶装置４３は、例えばメモリカード、ハードディスクドライブ、ＵＳＢメモリ等であり、演算制御部４２に、固定的に設けられていてもよく、取り外し可能に設けられていてもよい。また、外部記憶装置４３は、反射ターゲット測定データ、点群データ、測角データ、エンコーダパターン読取データ等を格納している。
【００５９】
４．  整準台の構成
整準台７０は、ターゲットユニット１０またはスキャナ装置３０を択一的に設置するための台座であり、自動整準機能を有する。整準台７０は、図６（ａ）に示すように、三脚を取りつけるための三脚取付座部７１と、整準装置本体７２と三脚取付座部７１と整準装置本体７２とを連結する３個の整準ネジ７３とから大略構成されている。
【００６０】
整準装置本体７２は、図示しないチルトセンサ、整準ネジ駆動機構、制御部等を備え、チルトセンサの傾斜姿勢情報に基づいて、整準装置本体７２が水平となるように駆動機構を自動的に制御して整準ネジ７３を調節するように構成されている。整準装置本体７２の自動制御機構としては、公知の構成を適宜用いることができるので、その詳細な説明は省略する。また、整準装置本体７２には、水平状態を確認するための水準器７７が設けられている。
【００６１】
図６（ｂ）に示すように、整準装置本体７２の上面には、ターゲットユニット１０またはスキャナ装置３０を設置するための、基盤取付穴７４が開口している。基盤取付穴７４には、その中央部に設けられた求心レーザ装置（図示せず）の設置箇所７５を中心として、周方向の１２０°毎に間隔をあけて３個の係合孔７６ａ，７６ｂ，７６ｃが設けられている。また、整準装置本体７２の外縁部には、１箇所の合わせ溝７８が形成されている。
【００６２】
図７に示すように、ターゲットユニット１０は、係合孔７６ａ，７６ｂ，７６ｃおよび合わせ溝７８により、周方向に位置決めされて、鉛直方向の中心軸を共有するように整準台７０に取り付けられる。また、ターゲットユニット１０は、図示しない板バネのロック機構が、１つの係合突起１５ａを押圧することにより、整準台７０に着脱可能にロックされる。
【００６３】
スキャナ装置３０の整準台７０への取付構造も、ターゲットユニット１０の取付構造と同様である。
【００６４】
この結果、図８（ｂ）に示す状態の整準台７０にターゲットユニット１０を設置すると、エンコーダパターン部１３（すなわち、ターゲットユニット１０）の基準方向ＲＤは、整準台７０の基準方向ＤＬ（以下、整準台７０の方向ＤＬ」という。）から、角度θＴ（以下、「ターゲットユニット１０のオフセット角度θＴ」という。）だけ、周方向反時計回りにずれた方向となる（図８（ａ））。図８において、符号ＯＴ、ＯＬ、ＯＳはそれぞれターゲットユニット１０、整準台７０、スキャナ装置３０の中心を示す。
【００６５】
同様に、図８（ｂ）に示す状態の整準台７０にスキャナ装置３０を設置すると、スキャナ装置３０の基準方向Ｄｓ（以下、「スキャナ装置３０の方向ＤS」という。）は、整準台７０の方向ＤＬから、所定の角度θＳ（以下、「スキャナ装置３０のオフセット角度θｓ」という。）だけ周方向反時計回りにずれた方向となる（図８（ｃ））。
【００６６】
ここで、ターゲットユニット１０の基準方向ＲＤ、スキャナ装置３０の方向ＤＳ，整準台７０の方向ＤＬの北に対する右回りの角度が、それぞれターゲットユニット１０の方向角、スキャナ装置３０の方向角、整準台７０の方向角である。
【００６７】
ターゲットユニット１０のオフセット角度θＴおよびスキャナ装置３０のオフセット角度θＳは、予め測定または設計により既知とされ、記憶部３８に記憶されている。スキャナ装置３０を、既知の点に設置し、方向角を既知の値αとした状態でエンコーダパターン読取角θＥを読み取ると、エンコーダパターン読取角θＥは、αの関数で表せる。したがって、エンコーダパターン読取角θＥとターゲットユニット１０のオフセット角度θＴとに基づいて整準台７０の方向角を求めることができる。さらに、整準台７０の方向角が求まれば、スキャナ装置３０のオフセット角度θＳに基づいて、整準台７０に取り付けたスキャナ装置３０の方向角を求めることができる。
【００６８】
上記の整準台７０の方向ＤＬおよびスキャナ装置３０の方向Ｄｓの設定は、本実施の形態における一例であるが、上記のように整準台７０の合わせ溝７８および係合孔７６ａ，７６ｂ，７６ｃにより、周方向に位置決めし、中心軸Ａまわりの水平角を所定の角度とすることにより、エンコーダパターン部１３の基準方向ＲＤ、整準台７０の方向ＤＬ、スキャナ装置３０の方向ＤＳを一定の関係にすることが可能となる。
【００６９】
また、ターゲットユニット１０の反射ターゲット１１およびスキャナ装置３０と整準台７０とは、それぞれ、鉛直方向の関係が固定されており、また、鉛直方向の位置関係は、既知とされており、整準台７０に取り付けた反射ターゲット１１の中心座標を求めることにより、整準台７０の座標は求められ、整準台７０の座標に基づいて、整準台７０に取り付けたスキャナ装置３０の座標も求められるようになっている。
【００７０】
５．  観測点の測量および点群データの観測
５−１．全体の動作
図９は、本実施の形態に係る測量システム１００を用いて、観測点の測量および点群データの観測を行う場合のフローチャートである。
【００７１】
例として、図１０に示す空間の点群データを観測する場合を説明する。図中、▲は既知点を、○新点である観測点を、●は測定により座標が求められた観測点を示し★は、点群データの取得（フルドームスキャン）が完了した点を示す。各点には、予め三脚に取り付けられた整準台７０が取り付けられている。また各点に付した英字Ｔ，Ｓは、それぞれ各点の整準台７０に、ターゲットユニット１０またはスキャナ装置３０のいずれが取り付けられているかを示す。また、矢印は、矢印の始点に設定したスキャナ装置３０により、終点に設置した反射ターゲット１１をターゲットスキャンしたことを示す。
【００７２】
なお、ターゲットユニット１０のオフセット角度θＴおよびスキャナ装置３０のオフセット角度θｓの値は、測定または設計により予め既知、記憶部３８に記憶されている。また、最初の観測点Ｐ０に設置した整準台の座標および方向角は後視点・器械点法により求めるものとする。
【００７３】
観測を開始すると、まず、ステップＳ１０１で、既知点である最初の観測点Ｐ０（ｘ０，ｙ０，ｚ０）に設置した整準台７０にスキャナ装置３０を取り付ける。この時、後視点Ａにターゲットユニット１０を設置する（図１０（ａ））。
【００７４】
次に、ステップＳ１０２で、後視点Ａの反射ターゲット１１を、スキャナ装置３０によりターゲットスキャンし、反射ターゲット１１の測定座標を取得する。
【００７５】
次に、ステップＳ１０３では、演算制御部４２が、点Ｐ０におけるスキャナ装置の方向角と、地図座標系の座標Ｐ０（ｘ０，ｙ０，ｚ０）を演算する。
【００７６】
ステップＳ１０１〜Ｓ１０３は従来の方法と同様であり、後視点・器械点に限らず、既知点を２点以上準備し、座標未知の点を最初の観測点として、後方交会法により行ってもよい。この場合はステップＳ１０２では既知点のターゲットスキャンを行い、ステップＳ１０３で、その結果に基づいて、最初の観測点Ｐ０（に設置したスキャナ装置３０）の方向角を演算し、地図座標系の座標を演算する。
【００７７】
次に、ステップＳ１０４で、作業者は、次の観測点となる新点Ｐ１に設置した整準台７０にターゲットユニット１０（反射ターゲット１１）を取り付け、その旨を操作部より入力する。
【００７８】
次に、ステップＳ１０５では、点Ｐ１に設置した反射ターゲット１１を、スキャナ装置３０が、ターゲットスキャンを行い、反射ターゲット１１中心の測定座標を取得する。
【００７９】
次に、ステップＳ１０６では、座標演算部６０が、点Ｐ１のターゲットスキャン結果および点Ｐ０の方向角に基づいて、点Ｐ１の（スキャナ装置の）地図座標系の座標（ｘ１，ｙ１，ｚ１）を演算する。
【００８０】
次に、ステップＳ１０７では、スキャナ装置３０は、エンコーダパターン１３Ｂの読取りを行い、エンコーダパターン読取角θＥを演算する。エンコーダパターン１３Ｂの読取りの詳細については、後述する。
【００８１】
次に、ステップＳ１０８では、方向角演算部５９が、エンコーダパターン読取角θＥおよびターゲットユニット１０のオフセット角度θＬに基づいて、点Ｐ１における整準台７０の方向角を演算する。
【００８２】
次にステップＳ１０９で、スキャナ装置３０が点群データ取得モードを実行し、フルドームスキャンを行う。
【００８３】
次に、ステップＳ１１０で、スキャナ装置３０は、次に測定する点があるか否かを判断する。
【００８４】
次に測定する点がある場合（Ｙｅｓ）、ステップＳ１１１では、作業者が、点Ｐ１の整準台７０からターゲットユニット１０を取り外し、次の観測点Ｐ２の整準台７０にターゲットユニット１０を取り付ける。点Ｐ２のターゲットユニット１０は新たなターゲットユニットでもよい。また、この時、スキャナ装置３０が、作業者に対して、スキャナ装置の移動を促すメッセージなどを表示部３９に表示してもよい。
【００８５】
ステップＳ１１１で作業者により、操作部より移動の完了が入力されると、スキャナ装置３０は、器械点の情報をｉ＝２として、ステップＳ１１２に移行し、ステップＳ１０７で取得した整準台７０の方向角、およびスキャナ装置３０のオフセット角θｓに基づいて、スキャナ装置の方向角を演算する。この時、ステップＳ１０８で、整準台７０の方向角を演算するのを省略し、エンコーダパターン読取角θＥ、ターゲットユニット１０のオフセット角度θＴ、およびスキャナ装置３０のオフセット角度θｓから直接的にスキャナ装置３０の方向角を演算してもよい。
【００８６】
次に、処理は、ステップＳ１０４に戻る（図１０（ｂ））。ここで、作業者は、点Ｐ２の整準台７０にターゲットユニット１０を取り付けて、スキャナにその旨を入力する。
【００８７】
このように、ステップＳ１１０で次の観測点がなくなるまで、ステップＳ１１１，Ｓ１１２およびステップＳ１０４〜Ｓ１１０を繰り返し、図１０（ｃ）、図１０（ｄ）に示すように、点Ｐ２，Ｐ３と測定を進める。
【００８８】
そして、ステップＳ１１０で次の観測点がない場合（Ｎｏ）、観測を終了する。
【００８９】
なお、ターゲットスキャン、フルドームスキャンおよびエンコーダパターンの読取りおよび各種演算により得られる方向角、座標データ等は、観測点の情報に関連付けられて記憶部３８に保存されるか、外部記憶装置４３に出力される。あるいは、スキャナ装置３０に通信部を設けて、これらのデータをパーソナルコンピュータ等の外部データ処理装置に送信するように構成されていてもよい。
【００９０】
各観測点における点群データ、観測点の座標データ、およびスキャナ装置３０の方向角データを、外部データ処理装置に移行した後、点群データが絶対座標系に変換され、統合処理により３次元形状データが得られる。
【００９１】
なお、図１０（ｃ）に示すように、点Ｐ２において、ターゲットユニット１０を複数用い、それぞれ点Ｐ３および点Ｐ５に取り付けて、点Ｐ３の座標および方向角の取得を行った後に連続して破線に示すように点Ｐ５について座標および方向角の取得をおこなってもよい。
【００９２】
本実施の形態に係る測量システムによれば、座標および方向角が既知となった状態で、ターゲットスキャンにより新点の座標を取得し、エンコーダパターン読取角を取得すれば、後視点または既知点をターゲットスキャンしなくても、新点の整準台の方向角を取得し、整準台に取り付けたスキャナ装置の方向角を取得することができる。したがって、最初の観測点を除き、新点の座標および方向角を求めるために後視点または既知点をターゲットスキャンする必要がないので、測量にかかる時間を短縮することができる。
【００９３】
たとえば、図１０の空間での測量を仮定した場合、従来の後視点・器械点法によれば、各点での後視点の観測が必要であるため、ターゲットスキャンを１１回（点Ｐ０，Ｐ１，Ｐ３について各２回、点Ｐ２について３回、点Ｐ４，５について各１回）行う必要があるが、本実施の形態では、６回行うのみでよい。したがって、ターゲットスキャンにかかる時間を短縮することでき、この結果、観測全体にかかる時間を短縮することができる。
【００９４】
また、新点の座標および方向角を求めるために、後視点または既知点のターゲットスキャンをする必要がないので、このことは、特に、図１０のような、視通の悪い、屋内などの空間で有利である。
【００９５】
というのも、例えば、従来の後方交会法で図１０のような空間での測量を仮定した場合、新点ごとに、２点以上の既知点を準備することは困難である。既知点を２点以上準備するためには、観測点を増やす必要があり、観測点の設置が煩雑になり、観測全体にかかる時間が増大する。一方、本実施の形態によれば、新点と次の新点との間に視通があればよく、新点を作成するための制約が少ない。このため、必要以上に既知点設置作業や、観測作業を行う必要がない。
【００９６】
また、上記のように、本実施の形態に係る測量システムにより、座標および方向角が既知となった観測点に設置されたスキャナ装置により点群データを取得するようにすれば、点群データの観測全体を効率的に行うことができるので特に有利である。
【００９７】
５−２．  エンコーダパターンの読取り
ここで、ステップＳ１０６のエンコーダパターン１３Ｂの読取りについて、図１１，１２を参照しながら説明する。
【００９８】
エンコーダパターンの読取りを開始すると、ステップＳ２０１で、演算制御部４２の制御により、読取光送光部５１は読取光４を送出し、エンコーダパターン部１３の周囲を、例えば図１２（ａ）に示すように高さｈ３間隔で走査（スキャン）する。
【００９９】
演算制御部４２は、ステップＳ１０５で取得した、反射ターゲット１１の測距データおよび既知であるエンコーダパターン部１３の寸法に基づいて、スキャン条件を設定する。
【０１００】
例えば、高さｈ３は、例えば幅情報部１３２の黒色帯１３２ａおよび白色帯１３２ｂの高さｈ１（図３（ｂ））よりも短くかつ、縦線１３１ａ，１３１ｂの高さｈ２（図３（ｂ））の半分ｈ２/２よりも短いと、幅情報部１３２および角度情報部１３１の両方を確実にスキャンすることができるので好ましい。
【０１０１】
次に、ステップＳ２０２では、エンコーダパターン１３Ｂで反射された読取光を、読取光受光部５２で受光し、受光信号を受光光量分布として、演算制御部４２に出力する。エンコーダパターンの黒色部分に反射した光は弱い光として、白色部分に反射した光は強い光として受光されるため、受光光量分布は、黒色部分では値が小さくなり、白色部分では値が大きくなる。したがって、図１２（ａ）におけるＩ〜Ｖの各位置における受光光量分布は、例えば、図１２（ｂ）のようになる。
【０１０２】
次に、ステップＳ２０３では、ステップＳ２０２で取得した受光光量分布から、幅情報部１３２の読取り結果を抽出する。具体的には、所定のしきい値よりも小さな受光光量に対応する領域を黒色部分と判断し、所定のしきい値よりも大きな受光光量に対応する領域を白色部分と判断し、黒色部分と白色部分の少なくとも一方が、ステップＳ１０５で取得したターゲットスキャン結果、および既知のエンコーダパターン部の寸法から算出される、エンコーダパターン部の直径Ｌに相当する長さで連続している領域を幅情報部１３２と判断する。
【０１０３】
この結果、図１２（ｂ）においては、画素列ＩおよびＩＩが幅情報部１３２に相当することがわかる。そして、検出されたエンコーダパターン１３Ｂの幅（エンコーダパターン部１３の直径）Ｌから、エンコーダパターン１３Ｂの中心位置Ａを特定する。
【０１０４】
次に、ステップＳ２０４では、エンコーダパターン読取角演算部５８は、ステップＳ２０２で取得した受光光量分布から、各位置における受光光量分布の相関を算出し、相関性が所定の値よりも高いものを、角度情報部１３１の読取り結果として抽出する。
【０１０５】
図１２（ｂ）の例では、スキャン位置ＩＩＩ〜Ｖは、受光光量分布のパターンが高い相関性を有している。したがって、スキャン位置ＩＩＩ〜Ｖの受光光量分布が角度情報部１３１の読込み結果であることがわかる。
【０１０６】
そして、抽出したスキャン位置ＩＩＩ〜Ｖの受光光量分布を垂直方向に加算して平均値を算出する。その結果が所定のしきい値よりも小さな場合を黒色部分と判断し、黒色部分の幅を求める。次に、求めた幅の値が、エンコーダパターン１３Ｂの狭幅、広幅のいずれに該当するかを判断し、狭幅と判断されたものをビット「０」すなわち縦線１３１ａ、広幅と判断されたものをビット「１」すなわち縦線１３１ｂとして読み取る。
【０１０７】
このように、複数の位置の平均値として受光光量分布を算出すると、例えば、スキャン位置ＩＶのように、受光光量分布の水平位置がずれるといったノイズが生じたとしても、このずれの影響を低減し、読取り精度を向上することができる。
【０１０８】
なお、エンコーダパターン部１３は、円柱状であるため、縦線幅ｗ１，ｗ２およびピッチｐが、中心から遠ざかるにつれて、実際の幅よりも狭く観察される。例えば、図３（ａ）において、中央付近の広幅の縦線１３１ｂ１は、その幅ｗ２ａが、図３（ｂ）に示す展開図における広幅の縦線１３１ｂの幅（実際の幅）ｗ２と同様の幅で観察される。一方、中央部から最も遠い広幅の縦線１３１ｂ２は、その幅ｗ２ｂが、実際の幅ｗ２よりも狭く観察される。幅ｗ１およびピッチｐについても同様である。従って、幅ｗ１およびｗ２は、配置によって観察される幅が変化するという影響を考慮して幅ｗ１と幅ｗ２の変化の範囲が重複しないように設定されていることが好ましい。
【０１０９】
次に、ステップＳ２０５では、エンコーダパターン読取角演算部５８が、ステップＳ２０３で求めたエンコーダパターン１３Ｂの中心位置Ａを中央として左右に伸びる所定幅Ｒに含まれるビットパターン、すなわち所定幅Ｒの領域に含まれる所定のビット数（例えば、１０本。図示の例では「１１０１００１０１００」のビットパターンを示す。）の縦線で示されるビットパターンと、記憶部３８に記憶されたビットパターンと角度との相関とを対比することにより、エンコーダパターンの読取角θＥを算出する。次に、処理は、ステップＳ１０７に移行する。
【０１１０】
６．  変形例
上記実施の形態については、以下のような変形を加えることも可能である。
例えば、エンコーダパターン１３Ｂを、黒白に限らず、明確なコントラスト有する色彩の組み合わせによりエンコーダパターンを構成してもよい。また、可視光に限らず、偏光により識別可能なエンコーダパターンとして構成し、エンコーダパターン読取光受光部の光路上に偏光フィルタを備えて、パターンを認識できるように構成してもよい。
【０１１１】
また、エンコーダパターン読取部に代えて、カメラを備え、エンコーダパターン１３Ｂの周辺画像を撮像し、その画素値のパターンから、エンコーダパターンを読み取るように構成してもよい。
【０１１２】
以上、実施形態を挙げて本発明の実施の形態を説明したが、上記実施形態は一例であり、これらを当業者の知識に基づいて組み合わせることが可能である。また、上記の実施の形態は、要旨を逸脱しない範囲内で種々変更して実施できる。また、本発明の権利範囲が上記実施形態に限定されないことは言うまでもない。
【符号の説明】
【０１１３】
１０  ターゲットユニット
１１  反射ターゲット
１３Ｂ  エンコーダパターン
３０  スキャナ装置
３１  測距部
３２  エンコーダパターン読取部
３５  鉛直角検出器（角度検出器）
３７  水平角検出器（角度検出器）
４２  演算制御部
６３  走査部
７０  整準台
１００  測量システム
【図１】
2020056614.tif 000003
【図２】
2020056614.tif 000004
【図３】
2020056614.tif 000005
【図４】
2020056614.tif 000006
【図５】
2020056614.tif 000007
【図６】
2020056614.tif 000008
【図７】
2020056614.tif 000009
【図８】
2020056614.tif 000010
【図９】
2020056614.tif 000011
【図１０】
2020056614.tif 000012
【図１１】
2020056614.tif 000013
【図１２】
2020056614.tif 000014